(57)【要約】【課題】現像装置への現像剤の供給を取り外すことなく任意に止めることができ、取り外すことによる面倒さ等を解消できる現像剤補給具を提供する。【解決手段】現像剤補給具１は、本体部２と、本体部２に差し込んで取り付けられたシャッタ部材３とからなる。本体部２は現像剤を貯留する貯留部４と、垂直流路部５と、覆い部６とからなる。現像装置の搬送路を覆うように覆い部６を装着して現像剤補給具１を固定する。装着したときに現像剤補給具１の補給用連通口と現像装置の補給口とが連通する。シャッタ部材３を出し入れすることにより、現像剤が現像装置に供給される開放位置と、現像剤の流下を遮断する閉鎖位置とに任意に設定できる。【選択図】図５
2014215521.tif 000002
【特許請求の範囲】
【請求項１】
現像装置に装着し、現像剤を現像装置内に補給するための現像剤補給具であって、
現像装置の補給口に連通する補給用連通口と、
現像剤を貯留可能な貯留部と、
前記補給用連通口に向けて前記貯留部の現像剤を流下させる流下通路と、
を有する現像剤補給具において、
前記補給用連通口、貯留部及び流下通路を含む本体部と、
前記本体部に取り付けられ、前記流下通路を開放する開放位置と、前記流下通路を閉鎖する閉鎖位置とに移動操作可能なシャッタ部材と、
を有していることを特徴とする現像剤補給具。
【請求項２】
請求項１に記載の現像剤補給具において、
前記シャッタ部材は板状部を有し、
前記板状部には現像剤が通過可能な通過口が備えられ、
前記開放位置では、前記通過口が前記流下通路に臨むことで現像剤が流下可能となり、
前記閉鎖位置では前記通過口以外の板状部によって前記流下通路が閉鎖され、
前記流下通路を流下する現像剤の流下方向に対して前記シャッタ部材を垂直方向に移動させることで前記開放位置と、前記閉鎖位置とに設定可能であることを特徴とする現像剤補給具。
【請求項３】
請求項１又は２に記載の現像剤補給具において、
前記シャッタ部材が移動操作用の把持部を有していることを特徴とする現像剤補給具。
【請求項４】
請求項３に記載の現像剤補給具において、
前記シャッタ部材が前記開放位置に設定されているときには、前記把持部は前記閉鎖位置に設定されているときよりも前記流下通路に近いことを特徴とする現像剤補給具。
【請求項５】
請求項３又は４に記載の現像剤補給具において、
前記シャッタ部材の前記把持部近傍には、前記シャッタ部材の移動方向に対して垂直方向に立ち上がる補強用のリブが形成されていることを特徴とする現像剤補給具。
【請求項６】
請求項５に記載の現像剤補給具において、
前記リブが前記本体部に当接することにより、前記シャッタ部材が前記開放位置に位置決めされることを特徴とする現像剤補給具。
【請求項７】
請求項６に記載の現像剤補給具において、
前記シャッタ部材の前記把持部と反対側には前記シャッタ部材が前記本体部から抜け落ちるのを防止する突起が形成され、前記突起が前記本体部に当接することにより、前記シャッタ部材が前記閉鎖位置に位置決めされることを特徴とする現像剤補給具。
【請求項８】
請求項５〜７のいずれか１つに記載の現像剤補給具において、
前記リブは前記シャッタ部材の上面と下面とに設けられており、上面と下面とで位置がずれていることを特徴とする現像剤補給具。
【請求項９】
請求項１〜８のいずれか１つに記載の現像剤補給具において、
前記シャッタ部材が、前記通過口以外の部分と前記流下通路との間を気密状態に維持する弾性部材を有していることを特徴とする現像剤補給具。
【請求項１０】
請求項１〜９のいずれか１つに記載の現像剤補給具において、
前記現像装置は前記補給口に連通する現像剤搬送路を有し、
前記本体部は、現像剤搬送路を覆う覆い部を備え、
前記覆い部は、前記現像装置に装着して固定するための固定爪を有していることを特徴とする現像剤補給具。
【発明の詳細な説明】
【技術分野】
【０００１】
本発明は、複写機、プリンタ、ファクシミリ、プロッタ、これらのうち少なくとも１つを備えた複合機等の画像形成装置に用いられる現像装置に装着し、現像剤を現像装置内に補給するための現像剤補給具に関する。
【背景技術】
【０００２】
この種の画像形成装置は、ユーザー先に納品・設置される場合、サービス担当者によって空の現像装置に現像剤（初期剤）が供給される。
現像装置内の現像剤を新品のものに入れ替える場合にも、劣化した現像剤を排出して空になった現像装置に現像剤が供給される。
【０００３】
上記現像装置への現像剤の供給には、現像剤補給具が用いられている。
現像剤補給具は、現像装置に装着したときに現像装置の補給口に連通する補給用連通口と、現像剤を貯留可能な貯留部と、補給用連通口に向けて貯留部の現像剤を流下させる流下通路とを有している。
特許文献１には、現像装置の現像剤収容部に着脱自在に設置される現像剤補給具としての現像剤容器が開示されている。
【０００４】
現像装置の現像剤収容部には補給口が設けられ、該補給口は本体側シャッタで閉鎖されている。
現像剤容器は、現像剤を排出するための開口（補給用連通口）を開閉する容器側シャッタと、前記開口を閉鎖した位置に容器側シャッタを止めるロック機構とを備えている。
現像剤容器を現像剤収容部へ装着すると、装着動作に連動して、本体側シャッタが移動して補給口が開放されるとともに、前記ロック機構が解除されて容器側シャッタが前記開口を開放する。
一方、現像剤収容部から現像剤容器を取り外すと、離脱動作に連動して、前記容器側シャッタが移動して前記開口を閉鎖するとともに、前記ロック機構による前記容器側シャッタの移動が阻止される。
同時に、本体側シャッタが移動して補給口が閉鎖される。
【発明の概要】
【発明が解決しようとする課題】
【０００５】
現像剤補給具により現像装置へ現像剤を供給している作業中に、何らかの原因で現像剤の供給を止めたい場合、特許文献１に記載の構成では現像剤容器を取り外さなければならず、面倒であった。
すなわち、特許文献１に記載の構成は、装着動作を利用してロック機構を解除し、容器側シャッタを開放位置に移動させる構成であるため、装着中は容器側シャッタは開放位置に維持され、現像剤容器の開口は開放されたままとなる。
このため、途中で現像剤の供給を止める場合には、現像剤容器を一旦取り外し、供給を再開する場合には再び装着しなければならず面倒であった。
現像剤容器を取り外したときは、その置き場所や現像剤が容器からこぼれない姿勢を保つことなどに注意を払わなければならない煩わしさもある。
【０００６】
本発明は、このような現状に鑑みて創案されたもので、現像装置への現像剤の供給を取り外すことなく任意に止めることができ、取り外すことによる面倒さ等を解消できる現像剤補給具の提供を、その目的とする。
【課題を解決するための手段】
【０００７】
上記目的を達成するために、本発明は、現像装置に装着し、現像剤を現像装置内に補給するための現像剤補給具であって、現像装置の補給口に連通する補給用連通口と、現像剤を貯留可能な貯留部と、前記補給用連通口に向けて前記貯留部の現像剤を流下させる流下通路と、を有する現像剤補給具において、前記補給用連通口、貯留部及び流下通路を含む本体部と、前記本体部に取り付けられ、前記流下通路を開放する開放位置と、前記流下通路を閉鎖する閉鎖位置とに移動操作可能なシャッタ部材と、を有していることを特徴とする。
【発明の効果】
【０００８】
本発明によれば、現像装置から取り外すことなく任意に現像剤の供給を止めることができるので、サービス担当者の作業効率の向上、労力の軽減に寄与できる。
【図面の簡単な説明】
【０００９】
【図１】本発明の一実施形態に係る画像形成装置の概要構成図である。
【図２】作像部の拡大図である。
【図３】現像剤カートリッジから現像装置への現像剤の補給動作を示す図である。
【図４】現像装置の斜視図である。
【図５】現像剤補給具の斜視図である。
【図６】現像装置に対する現像剤補給具の装着前の状態を示す斜視図である。
【図７】現像装置に対する現像剤補給具の装着前の状態を示す斜視図である。
【図８】現像剤補給具の本体部を反対側から見た斜視図である。
【図９】本体部における覆い部の拡大斜視図である。
【図１０】シャッタ部材の斜視図である。
【図１１】本体部の斜視図である。
【図１２】シャッタ部材の移動操作を示す断面図で、（ａ）は閉鎖位置での断面図、（ｂ）は開放位置での断面図である。
【図１３】シャッタ部材の把持部周辺の概要平面図である。
【発明を実施するための形態】
【００１０】
以下、本発明の一実施形態を図を参照して説明する。
なお、各図中、同一又は相当する部分には同一の符号を付しており、その重複説明は適宜に簡略化ないし省略する。
まず、図１〜図３に基づいて、本実施形態に係る画像形成装置全体の構成・動作を説明する。
図１は画像形成装置としてのプリンタを示す全体構成図であり、図２はその作像部を示す拡大図である。
図３は現像剤カートリッジから現像装置への現像剤の補給経路を示す概略図である。
【００１１】
図１に示すように、装置本体１００の上方にはカートリッジ収容部３１が配置されている。
カートリッジ収容部３１には、各色（イエロー、マゼンタ、シアン、ブラック）に対応した４つの現像剤カートリッジ３２Ｙ、３２Ｍ、３２Ｃ、３２Ｋが着脱自在（交換自在）に設置されている。
カートリッジ収容部３１の下方には中間転写ユニット１５が配設されている。
中間転写ユニット１５における中間転写ベルト１８の水平なベルト面に対向するように、各色に対応した作像部が並設されている。
【００１２】
図２に示すように、各色の作像部は、像担持体としての感光体ドラム２１と、感光体ドラム２１の周囲に配置された帯電部２４、現像装置２３、クリーニング部２２、除電部（不図示）等で構成されている。
感光体ドラム２１上で、作像プロセス（帯電工程、露光工程、現像工程、転写工程、クリーニング工程）が行われて、感光体ドラム２１上に各色の画像（トナー像）が形成される。
各色の作像部は、使用されるトナーの色が異なる以外は、ほぼ同一構造であるために、図１以外の図では現像装置や感光体ドラムは符号のアルファベット（Ｙ、Ｃ、Ｍ、Ｋ）を除して図示している。
【００１３】
各感光体ドラム２１Ｙ、２１Ｍ、２１Ｃ、２１Ｋはそれぞれ、不図示の駆動モータによって図１中の反時計回り方向に回転駆動される。
図２に示すように、感光体ドラム２１は、帯電部２４の位置で、その表面が一様に帯電される（帯電工程）。
その後、感光体ドラム２１の表面は、図示しない露光装置から発せられたレーザ光Ｌの照射位置に達して、この位置での露光走査によって静電潜像が形成される（露光工程）。
その後、感光体ドラム２１の表面は、現像装置２３との対向位置に達して、この位置で静電潜像が現像されて、トナー像が形成される（現像工程）。
その後、感光体ドラム２１の表面は、中間転写ベルト１８及び１次転写ローラ１７との対向位置に達して、この位置で感光体ドラム２１上のトナー像が中間転写ベルト１８上に転写される（１次転写工程）。
【００１４】
このとき、感光体ドラム２１上には、僅かながら未転写トナーが残存する。
その後、感光体ドラム２１の表面は、クリーニング部２２との対向位置に達して、この位置で感光体ドラム２１上に残存した未転写トナーが回収される（クリーニング工程）。
最後に、感光体ドラム２１の表面は、不図示の除電部との対向位置に達して、この位置で感光体ドラム２１上の残留電位が除去される。
こうして、感光体ドラム２１上で行われる一連の作像プロセスが終了する。
【００１５】
現像工程を経て各感光体ドラム２１Ｙ、２１Ｍ、２１Ｃ、２１Ｋ上に形成された各色のトナー像が重ねて転写された中間転写ベルト１８は、図１に示すように、２次転写ローラ１９との対向位置に達する。
この位置では、２次転写バックアップローラが、２次転写ローラ１９との間に中間転写ベルト１８を挟み込んで２次転写ニップを形成している。
中間転写ベルト１８上に形成された４色のトナー像は、２次転写ニップの位置に搬送された転写紙等の記録媒体Ｐ上に転写される。
このとき、中間転写ベルト１８には、記録媒体Ｐに転写されなかった未転写トナーが残存する。
【００１６】
その後、中間転写ベルト１８は、図示しない中間転写クリーニング部の位置に達する。
この位置で、中間転写ベルト１８上の未転写トナーが回収される。
こうして、中間転写ベルト１８上で行われる一連の転写プロセスが終了する。
【００１７】
２次転写ニップの位置に搬送される記録媒体Ｐは、装置本体１００の下方に配設された給紙部２６から、給紙ローラ２７やレジストローラ対２８等を経由して搬送されたものである。
詳しくは、給紙部２６には、転写紙等の記録媒体Ｐが複数枚重ねて収納されている。
給紙ローラ２７が図１中の反時計回り方向に回転駆動されると、一番上の記録媒体Ｐがレジストローラ対２８に向けて搬送される。
【００１８】
レジストローラ対２８に搬送された記録媒体Ｐは、回転駆動を停止したレジストローラ対２８のローラニップの位置で一旦停止する。
中間転写ベルト１８上のカラー画像にタイミングを合わせて、レジストローラ対２８が回転駆動されて、記録媒体Ｐが２次転写ニップに向けて搬送される。
こうして、記録媒体Ｐ上に所望のカラー画像が転写される。
【００１９】
２次転写ニップの位置でカラー画像を転写された記録媒体Ｐは、定着部２０の位置に搬送される。
定着部２０では、定着ベルト及び加圧ローラによる熱と圧力とにより、表面に転写されたカラー画像が記録媒体Ｐ上に定着される。
その後、記録媒体Ｐは、出力画像として装置外の排紙トレイへ排出されてスタックされる。
こうして、画像形成装置における一連の画像形成プロセスが完了する。
【００２０】
次に、現像装置２３の構成・動作について詳述する。
図２に示すように、現像装置２３は、現像剤担持体としての第１現像ローラ２３ａ１、第２現像ローラ２３ａ２を備えている。
また、現像装置２３は、現像剤を撹拌しながら搬送する搬送スクリュ２３ｂ１〜２３ｂ３と、第１現像ローラ２３ａ１上の現像剤の層厚みを規制するドクターブレード２３ｃとを備えている。
また、現像装置２３は、キャリア捕集ローラ２３ｋ、スクレーパ２３ｍ、第４搬送スクリュ２３ｎ等を備えている。
現像装置２３内には、現像剤を搬送して循環経路を形成する３つの現像剤搬送部Ｂ１〜Ｂ３が形成されている。
【００２１】
第１現像ローラ２３ａ１と第２現像ローラ２３ａ２とは、それぞれ、アルミニウム、真鍮、ステンレス、導電性樹脂等の非磁性体を円筒形に形成してなるスリーブが不図示の回転駆動機構によって時計回り方向に回転されるように構成されている。
第１現像ローラ２３ａ１と第２現像ローラ２３ａ２のスリーブ内には、スリーブの周面に現像剤の穂立ちを生じるように磁界を形成するマグネットが固設されている。
マグネットから発せられる法線方向の磁力線に沿うように、現像剤中のキャリアがスリーブ上にチェーン状に穂立ちする。
チェーン状に穂立ちしたキャリアに帯電したトナーが付着されて、磁気ブラシが形成される。
磁気ブラシは、スリーブの回転によってスリーブと同方向（時計回り方向）に移送される。
【００２２】
第１現像ローラ２３ａ１と感光体ドラム２１とが対向する第１現像領域と、第２現像ローラ２３ａ２と感光体ドラム２１とが対向する第２現像領域とにおいて、２成分現像剤中のトナーが感光体ドラム２１上の潜像に付着してトナー像を形成する。
ドクターブレード２３ｃは、現像領域の上流側に設置されていて、第１現像ローラ２３ａ１上に担持された現像剤を適量に規制する。
本実施形態におけるドクターブレード２３ｃは、ＳＵＳ３１６やＸＭ７等の非磁性金属材料（弱磁性金属材料も含む）で形成された板厚が２ｍｍ程度の板状部材である。
【００２３】
第２現像ローラ２３ａ２の下方（回転方向下流側）であって、感光体ドラム２１に対向する位置には、キャリア捕集ローラ２３ｋが設置されている。
キャリア捕集ローラ２３ｋに当接する位置には、スクレーパ２３ｍが設置されている。
キャリア捕集ローラ２３ｋは、ステンレス等からなる円筒体内に所定の磁界を形成するマグネットが固設された構成を有している。
キャリア捕集ローラ２３ｋは、現像装置２３内から移動（飛翔）して感光体ドラム２１に付着したキャリアを捕集するためのものである。
キャリア捕集ローラ２３ｋは、図２の反時計回り方向に回転駆動される。
【００２４】
３つの搬送スクリュ２３ｂ１〜２３ｂ３は、軸部上に螺旋状にスクリュ部が形成されたものであって、現像装置２３内に収容された現像剤を長手方向（図２の紙面厚み方向）に循環させながら撹拌・混合する。
第１搬送スクリュ２３ｂ１は、第１現像剤搬送部Ｂ１であって第１現像ローラ２３ａ１に対向する位置に配設されていて、現像剤を水平方向に搬送するとともに、第１現像ローラ２３ａ１上に現像剤を供給する。
第２搬送スクリュ２３ｂ２は、第２現像剤搬送部Ｂ２に設置されている。
第２搬送スクリュ２３ｂ２は、第１搬送スクリュ２３ｂ１の下方であって第２現像ローラ２３ａ２に対向する位置に配設されている。
【００２５】
第２搬送スクリュ２３ｂ２は、第２現像ローラ２３ａ２から離脱した現像剤を水平方向に搬送する。
第２現像ローラ２３ａ２から離脱した現像剤とは、現像工程後に剤離れ極によって第２現像ローラ２３ａ２上から強制的に離脱された現像剤ある。
第１搬送スクリュ２３ｂ１及び第２搬送スクリュ２３ｂ２は、第１現像ローラ２３ａ１、第２現像ローラ２３ａ２や感光体ドラム２１と同様に、回転軸がほぼ水平になるように配設されている。
【００２６】
第３搬送スクリュ２３ｂ３は、第３現像剤搬送部Ｂ３に設置されている。
第３搬送スクリュ２３ｂ３は、第２搬送スクリュ２３ｂ２による搬送経路の下流側と、第１搬送スクリュ２３ｂ１による搬送経路の上流側とを直線的に結ぶように、水平方向に対して斜めに配設されている。
第３搬送スクリュ２３ｂ３は、第２搬送スクリュ２３ｂ２によって搬送された現像剤を第１搬送スクリュ２３ｂ１による搬送経路の上流側に搬送する。
また、第３搬送スクリュ２３ｂ３は、第１搬送スクリュ２３ｂ１による搬送経路の下流側から落下経路を介して循環される現像剤を第１搬送スクリュ２３ｂ１による搬送経路の上流側に搬送する。
【００２７】
第１搬送スクリュ２３ｂ１による搬送経路（第１現像剤搬送部Ｂ１）と、第２搬送スクリュ２３ｂ２による搬送経路（第２現像剤搬送部Ｂ２）と、第３搬送スクリュ２３ｂ３による搬送経路（第３現像剤搬送部Ｂ３）と、は壁によって区画されている。
図示は省略するが、第２現像剤搬送部Ｂ２の下流側と、第３現像剤搬送部Ｂ３の上流側とは、第１中継部を介して連通している。
また、第３現像剤搬送部Ｂ３の下流側と、第１現像剤搬送部Ｂ１の上流側とは、第２中継部を介して連通している。
また、第１現像剤搬送部Ｂ１の下流側と、第３現像剤搬送部Ｂ３の上流側とは、落下経路を介して連通している。
【００２８】
このような構成により、３つの現像剤搬送部Ｂ１〜Ｂ３（搬送スクリュ２３ｂ１〜２３ｂ３）によって、現像装置２３において現像剤を長手方向に循環させる循環経路が形成されることになる。
なお、第３現像剤搬送部Ｂ３には磁気センサ（不図示）が設置されている。
磁気センサによって検知されるトナー濃度の情報に基いて、現像剤カートリッジ３２から現像装置２３内に向けて所定のトナー濃度の現像剤が供給される。
【００２９】
第１現像剤搬送部Ｂ１の壁部に、現像装置２３内に収容された現像剤の一部を排出するための排出口（不図示）が設けられている。
上記排出口は、現像剤カートリッジ３２から現像装置２３内に現像剤が供給されて装置内の現像剤量が増加し、現像剤の剤面（上面）が所定高さを超えたときに、その余剰分の現像剤を剤貯留容器（不図示）に向けて排出するためのものである。
排出口から排出された余剰の現像剤は、第４搬送スクリュ２３ｎによって搬送された後に、さらに剤貯留容器に向けて排出される。
このように、トナーの母体樹脂や外添剤によって汚染されて劣化したキャリアが自動的に現像部の外部に排出されるので、経時においても画像品質の劣化を軽減することができる。
【００３０】
各現像剤カートリッジ３２Ｙ、３２Ｍ、３２Ｃ、３２Ｋ内の現像剤は、各色の現像装置２３Ｙ、２３Ｍ、２３Ｃ、２３Ｋ内のトナー消費に応じて、トナー色ごとに設けられた補給経路を経て、図３に示す第１の補給口２３ｐから現像装置２３内に適宜に補給される。
現像剤カートリッジ３２内の現像剤は、チューブ７１を介して補給装置５９に搬送されて、その後に第の補給口２３ｐを介して現像装置２３に供給される。
４色の補給経路は、作像プロセスに用いられるトナーの色が異なる以外はほぼ同一構造である。
【００３１】
さらに詳しく説明する。
現像剤カートリッジ３２が装置本体１００のカートリッジ収容部３１にセットされると、現像剤カートリッジ３２のキャップ部３４にカートリッジ収容部３１のノズル７０が接続される。
このとき、現像剤カートリッジ３２の口栓部材３４ｄは、ノズル７０と、板バネ７７によって付勢されている爪７６とに挟まれた状態で、キャップ部３４の現像剤排出口を開放する。
これにより、現像剤カートリッジ３２のカートリッジ本体３３内に収容された現像剤が、現像剤排出口を介して、ノズル７０内に搬送されることになる。
【００３２】
ノズル７０の他端は、チューブ７１の一端に接続されている。
チューブ７１は、耐トナー性に優れたフレキシブルな材料からなり、その他端が補給装置５９のスクリューポンプ６０（モーノポンプ）に接続されている。
チューブ７１は、その内径が４〜１０ｍｍになるように形成されている。チューブ７１の材料としては、ポリウレタン、ニトリル、ＥＰＤＭ、シリコン等のゴム材料や、ポリエチレン、ナイロン等の樹脂材料を用いることができる。
このようなフレキシブルなチューブ７１を用いることで、補給経路のレイアウトの自由度が増して、画像形成装置が小型化される。
【００３３】
スクリューポンプ６０は、吸引型の一軸偏心スクリューポンプであって、ロータ６１、ステータ６２、吸引口６３、ユニバーサルジョイント６４、モータ６６、等で構成される。
ロータ６１、ステータ６２、ユニバーサルジョイント６４等は、不図示のケース内に収納されている。
ステータ６２は、ゴム等の弾性材料からなる雌ねじ状部材であって、その内部にはダブルピッチの螺旋溝が形成されている。
ロータ６１は、金属等の剛性材料からなる軸が螺旋状にねじれて形成された雄ねじ状部材であって、ステータ６２内に回動自在に嵌合されている。
ロータ６１の一端は、ユニバーサルジョイント６４を介して、モータ６６に回転自在に連結されている。
【００３４】
このように構成されたスクリューポンプ６０は、モータ６６によってステータ６２内のロータ６１を所定方向に回転駆動させることで、吸引口６３に吸引力を発生させる。
すなわち、チューブ７１内の空気を送出してチューブ７１内に負圧を発生させる。
これによって、現像剤カートリッジ３２内の現像剤が空気とともにチューブ７１を介して吸引口６３に吸引される。
吸引口６３まで吸引された現像剤は、ステータ６２とロータ６１との隙間に送入されて、ロータ６１の回転に沿って他端側に送出される。
送出された現像剤は、スクリューポンプ６０の送出口６７から排出されて、図３に破線で示すように、第１の補給口２３ｐを介して現像装置２３に補給される。
【００３５】
カートリッジ収容部３１に着脱自在に設置された４つの略円筒状の現像剤カートリッジ３２Ｙ、３２Ｍ、３２Ｃ、３２Ｋは、それぞれ、寿命に達したとき（収容する現像剤がほとんどすべて消費されて空になったとき）に新品のものに交換される。
現像剤カートリッジ３２Ｙ、３２Ｍ、３２Ｃ、３２Ｋの交換作業は、カートリッジ収容部３１のカバー（不図示）を開閉して行われる。
【００３６】
図４に示すように、現像装置２３の長手方向一端部には被装着部２３ｄが形成され、被装着部２３ｄには第２の補給口２３ｆが形成されている。
被装着部２３ｄの内部は上述した現像剤搬送部となっており、第２の補給口２３ｆは現像剤搬送部（現像剤搬送路）に連通している。
第１の補給口２３ｐは、被装着部２３ｄの長手方向反対側に設けられている。
【００３７】
本実施形態における画像形成装置は、ユーザー先に納品・設置される場合、又は、現像装置２３内の現像剤を新品のものに入れ替える場合に、サービス担当者によって空の現像装置２３内に現像剤（初期剤）が供給される。
この現像剤の供給は、被装着部２３ｄに装着される現像剤補給具１によってなされる。
現像剤補給具１は、図５に示すように、本体部２と、本体部２に差し込んで取り付けられたシャッタ部材３とから構成されている。
本体部２は、現像剤を貯留可能な漏斗状の貯留部４と、貯留部４の下方に連なる垂直流路部５と、垂直流路部５の下方に設けられた覆い部６とから構成されている。
【００３８】
現像剤補給具１を使用するときは、図６に示すように、現像剤補給具１を装着方向に移動させ、図４に示す現像装置２３の被装着部２３ｄに覆い部６を嵌合して装着する。図７は、装着後の状態を示している。
図８は覆い部６を図５の矢印Ｒ側から見た図である。覆い部６は略筒状に形成されており、内部に現像装置２３の被装着部２３ｄが挿入される挿入空間を有している。
被装着部２３ｄに覆い部６を装着することで、現像剤搬送路を含む被装着部２３ｄは覆い部６に内包される。
図９に示すように、覆い部６の内部には、内側に向かって突出する固定爪６ａ、６ｂが形成されており、これらの固定爪６ａ、６ｂが被装着部２３ｄの外面に弾性変形により係り合って本体部２の抜け落ちが防止される。
これにより、現像剤補給具１は現像装置２３に固定された状態に支持される。
【００３９】
図１０に基づいてシャッタ部材３を説明する。
シャッタ部材３は、本体部２に挿入される板状部７と、挿入方向手前側に位置する把持部８とからなる。
把持部８は指で摘みやすいように、薄肉で平面な円形状に形成されている。
把持部８の上面には、シャッタ部材３の移動操作を容易にするための滑り止め用の凸部８ａ（他の図においては適宜省略している）が形成されている。
【００４０】
板状部７は把持部８から水平方向に向かって延びる平板状に形成されている。板状部７の周囲には垂直に立ち上がる壁面が形成されて容器状をなしており、板状部７の内部には厚肉シート状の弾性部材９が貼り付けられている。
板状部７の中央部には現像剤が通過可能な通過口７ａが形成されており、これに対応して弾性部材９の対向部分が開口されている。
弾性部材９は、発泡ウレタン等の弾性発泡材からなり、シャッタ部材３を後述するシャッタ挿入部に挿入した際に弾性変形により潰れることにより、現像剤の漏れを防止する飛散防止部材とて機能する。
【００４１】
把持部８と板状部７との間には、把持部８の縁から垂直に立ち上がる把持部覆い壁１０が設けられ、該把持部覆い壁１０から連続するように板状部７の上面から上方に向かって立ち上がる補強用の上側リブ１１が複数設けられている。
すなわち、シャッタ部材３の把持部近傍には、シャッタ部材３の移動方向に対して垂直方向に立ち上がる補強用のリブが形成されている。
上側リブ１１があることで、把持部８を摘んだ際に板状部７又は板状部７との境界部が折れてしまうことが防止される。
他の図においては把持部覆い壁１０は適宜省略している。
板状部７の挿入方向先端部の下面には、シャッタ部材３が本体部２から抜け落ちるのを防止するための突起１２が形成されている。
【００４２】
図１１に示すように、本体部２の垂直流路部５には、シャッタ部材３を挿入するためのシャッタ挿入部５ａが形成されている。
図１２に示すように、板状部７の下面には下方に垂直に延びる下側リブ１３が複数設けられている。
図１３に示すように、上側リブ１１と下側リブ１３は上下方向で重ならないように設けられており、これにより強度を増すことが可能になっている。
【００４３】
図１２に示すように、垂直流路部５の内部は流下通路３５としてなり、貯留部４に連通している。
垂直流路部５の下端には、現像装置２３の第２の補給口２３ｆに連通する補給用連通口３６が形成されている。
【００４４】
図１２（ａ）は、シャッタ部材３を本体部２のシャッタ挿入部５ａに挿入した初期状態を示している。
この状態から把持部８を摘んでシャッタ部材３をさらに押し込むと、図１２（ｂ）に示すように、シャッタ部材３の通過口７ａが流下通路３５に臨み現像剤が流下可能となる。
これにより、貯留部４、流下通路３５、通過口７ａ、補給用連通口３６及び現像装置２３の第２の補給口２３ｆが連通状態となり、貯留部４に投入された現像剤が流下して現像装置２３内に供給される。
【００４５】
シャッタ部材３は、把持部８を摘んで移動操作することにより、上記のように流下通路３５を開放する開放位置と、流下通路３５を閉鎖する閉鎖位置とに任意に設定可能（移動操作可能）である。
すなわち、シャッタ部材３は、現像剤の流下方向に対して垂直方向に移動操作される。
図１２（ｂ）に示す開放位置は、下側リブ１３が垂直流路部５の外面に当接することにより位置決めされる。
すなわち、下側リブ１３はシャッタ部材３を本体部２のシャッタ挿入部５ａへ挿入したときの位置決めも兼ねており、本体部に突き当たってそれ以上シャッタ部材が挿入方向へ移動することを規制する。
このため、サービス担当者の操作能力に関係なくシャッタ部材３を容易に開放位置に設定することができる。上側リブ１１で位置決めする構成としてもよい。
【００４６】
点検等において、何らかの原因で現像剤の供給を止めたい場合には、把持部８を摘んでシャッタ部材３を引っ張る。
すると、抜け落ち防止用の突起１２が垂直流路部５の外面に当接し、それ以上は引けない状態となる。すなわち、図１２（ａ）に示すように、シャッタ部材３が閉鎖位置に設定された状態となる。
この場合、通過口７ａは流下通路３５から退避して、板状部７の通過口７ａ以外の部分で流下通路３５が閉鎖される。
閉鎖位置では、貯留部４内の現像剤は流下通路３５を流れ落ちずに堰き止められる。
この場合、通過口以外の部分と流下通路３５との間は弾性部材９（図１２では省略）で気密状態に維持されているため、現像剤が下方および外部に漏れることはない。
【００４７】
シャッタ部材３を閉鎖位置に設定する場合にも、垂直流路部５の外面に対する突起１２の当接によって位置決めがなされるので、サービス担当者の操作能力に関係なくシャッタ部材３を容易に閉鎖位置に設定することができる。
突起１２の高さは、シャッタ挿入部５ａへのシャッタ部材３の挿入において、一方又は双方の弾性変形による圧入が可能で、且つ、挿入後に突起１２による抜け落ち機能が得られる範囲で適宜に設定される。
この場合、弾性部材９の変形を加味して設定してもよい。
【００４８】
現像装置２３への現像剤の供給を再開する場合には、把持部８を摘んでシャッタ部材３を、下側リブ１３が垂直流路部５の外面に当接する位置まで押し込めばよい。
シャッタ部材３が開放位置に設定されているときには、把持部８は閉鎖位置に設定されているときよりも流下通路３５に近い位置となる。
換言すれば、本体部２に対するシャッタ部材３の把持部８を基準とした片持ち構成の距離が短くなる。
したがって、通常の使用状態である流下通路が開放されている状態の時には操作部分である把持部８が本体部２に近いところにあるため、把持部８に力が掛かってもシャッタ部材３が変形する虞が少ない。
また、下側リブ、上側リブによっても把持部が補強されているため変形の虞がない。
【００４９】
上記実施形態では、シャッタ部材３に移動操作用の把持部８を設けたが、把持部８は必ずしも必要ではない。例えば板状部のみからなるシャッタ部材をドライバ等で押し込んで操作することも可能である。
しかしながら、把持部８を設けることにより操作が容易となる。
【符号の説明】
【００５０】
２  本体部
３  シャッタ部材
４  貯留部
６  覆い部
６ａ、６ｂ  固定爪
７  板状部
７ａ  通過口
８  把持部
９  弾性部材
１１  リブとしての上側リブ
１２  突起
１３  リブとしての下側リブ
２３    現像装置
２３ｆ  補給口としての第２の補給口
３６  補給用連通口
３５  流下通路
【先行技術文献】
【特許文献】
【００５１】
【特許文献１】特開２０１０−３２６７０号公報
【図１】
2014215521.tif 000003
【図２】
2014215521.tif 000004
【図３】
2014215521.tif 000005
【図４】
2014215521.tif 000006
【図５】
2014215521.tif 000007
【図６】
2014215521.tif 000008
【図７】
2014215521.tif 000009
【図８】
2014215521.tif 000010
【図９】
2014215521.tif 000011
【図１０】
2014215521.tif 000012
【図１１】
2014215521.tif 000013
【図１２】
2014215521.tif 000014
【図１３】
2014215521.tif 000015